(57)【要約】【課題】ペットの猫が，家庭内の家財で爪を砥いで傷を付けないよう，軟らかくて家財とは異質なバルサ材の爪砥ぎを用意する。【解決手段】受け皿１にバルサ材やバルサ材の集成材でできた爪砥ぎ２を収め，猫の爪砥ぎとするとともに、子猫の時代からバルサ材の遊び道具を与え爪砥ぎの躾をする。【選択図】　　図３
2004105159.tif 000002
【特許請求の範囲】
【請求項１】
受け皿（１）にバルサ材を利用した１本採りの爪砥ぎ材（２）又はバルサ材の縦方向の集成材（４）並びに雑多な端材を特定の形状にカットして集成（８）の上製造された猫の爪砥ぎ材を収めた猫の爪砥ぎ及び遊び道具（１４、１５、１６、１７　）
【請求項２】
バルサ材の端材（５、９、１０、１１）を集成材に利用した爪砥ぎ材（４，８）の製造方法
【発明の詳細な説明】
【０００１】
【発明の属する技術分野】
本発明は、バルサ材を利用した猫の爪砥ぎ材及び遊び道具と爪砥ぎ材の製造方法に関する。
【０００２】
【従来の技術】
従来の猫の爪砥ぎは、素材がダンボールのような紙を束ねて裁断しその断面を利用した物、カーペットのような繊維を裁断した物、荒縄を柱状のものに巻きつけたり貼り付けた物等を利用したものがある。
【０００３】
【発明が解決しようとする課題】
従来の猫の爪砥ぎにあっては、ほとんど家庭内の家財等と同じ材質を利用しているため、猫は成長に従い同じ材質である襖、絨毯，似た材質である畳やソファー等で爪を砥いで家財に傷をつけ、叱っても猫のことであるので躾が出来ないという問題点があった。
【０００４】
本発明は、バルサ材という一般家庭内にはない軽くて軟らかい木質の素材を利用した爪砥ぎが、猫というペットのストレスを解消する事を目的とし、さらに子猫の時からバルサ材を加工した遊び道具を与えると、転がしたり噛んだりしながらこの材質になじみ、成長しても他の材質で爪を研ぐことがほとんど無くなるような躾と、産業上利用されることの少ない、バルサ材の端材を利用した爪砥ぎの製造方法を提供することを目的としている。
【０００５】
【課題を解決するための手段】
上記目的を達成するため、本発明は爪砥ぎの素材に軟らかいバルサ材を用いるとともに，遊び道具の素材にもバルサ材を用いる。
【０００６】
図１で示した爪砥ぎ材は、一本採りの場合で３センチから５センチ程度の厚さの、一本の縦方向の柾目の素材を用いて、バルサ材の柾目も縦に利用する。
【０００７】
図２で示した縦方向のみ並行した集成材を製造する場合は、３センチから５センチ程度の厚さの均質な縦方向の柾目の端材ないし、柾目にこだわらない縦長の端材を接着して用い、接着の方法としては、爪砥ぎ表面の反対側である裏面を別の薄い適宜な板状の底板に接着する。
【０００８】
そして、いずれも縦長の適当なサイズにカットする。
【０００９】
図３で示した雑多な端材を利用して集成材を作る場合は、端材を３センチから５センチ程度の均質な厚さで底面が直角三角形の三角柱の部材を作り、この三角柱の部材２個の底辺を合わせた４角形の材と、同じ厚みを持った端材を４角柱又は直方体の部材に作り、それぞれの部材の表面から見て縦、横，斜めの適宜の方向に柾目を持つように組み合わせる。
【００１０】
これらの部材を、爪砥ぎ表面の反対側である裏面にのみ別の薄い適宜な板状の底板と接着した後、いずれも縦長の適当なサイズにカットするとともにノコギリ傷状の若干の切り込み（３）をいれておく。
【００１１】
裏面のみを接着する理由は，各部材相互に集成接着した場合，接着面が硬くなり爪砥ぎに差し障りがあるためである。
【００１２】
また、より大きな端材を利用した場合も、結果として前記の爪砥ぎ材のような形状にカットされるよう，核部材を組み合わせる。
【００１３】
遊び道具はバルサ材の端材を図４、５、６、７　のような形で、子猫が口にくわえることができるサイズに切り出して形成する。
【００１４】
【発明の実施の形態】
発明の実施の形態を実施例に基づき図面を参照して説明する。
図１において受け皿１の内部に、ノコギリ傷状の傷２をつけたバルサ材の爪砥ぎ材２を納めた実施例を現す。
【００１５】
図１に現される実施例では，爪砥ぎ材の表面に猫が最初に爪がかかり良いようにノコギリ傷状態の，傷をつけている。
【００１６】
図２で示される実施例では，縦方向の柾目の部材５を底板７に，接着面６の位置で接着し製造している。
【００１７】
図３で示される実施例では，四角の表面を持った四角柱の部材９と、直角三角形１０の表面を持った部材２個を底辺で組み合わせた四角柱１１と、長方形の表面を持った四角柱の部材１２を、接着面１４において底板１３に接着した場合の製造例として現している。
【００１８】
この場合、端材を利用することから柾目の方向は実施例にかかわらず表面から見て随意の方向の柾目を持つ部材を利用することにより、爪砥ぎのおもしろさが発揮できるとともに資源材料の有効活用ができる。
【００１９】
このような爪とぎ材は，約半年位で爪とぎ行為とともに減耗し，猫を観察すれば爪とぎによる達成感が見られ，買主も満足し，砥ぎ出されたかけらは多少発生するものの、素材は自然木であるので猫、人間とも健康に害がない。
【図面の簡単な説明】
【図１】爪砥ぎ材を受け皿に納めた斜視図である。
【図２】縦方向の部材を利用した爪砥ぎ材の斜視図である。
【図３】雑多な端材を利用した爪砥ぎ材の斜視図である。
【図３】〜
【図８】遊び道具の斜視図である。
【符号の説明】
１　受け皿
２　一本採りの爪砥ぎ材
３　ノコギリ傷
４　縦方向に集成した爪砥ぎ材
５　縦方向の柾目の部材
６、１４　接着面
７、１３　底板
８　雑多な部材を利用した爪砥ぎ材
９　四角形の部材
１０　三角形の部材
１１　三角形の部材を合わせた四角柱
１２　長方形の部材
１４　紡錘形の遊び道具
１５　円柱形の遊び道具
１６　球形の遊び道具
１７　方形（四角）柱の遊び道具
１８　三角柱の遊び道具
【図１】
2004105159.tif 000003
【図２】
2004105159.tif 000004
【図３】
2004105159.tif 000005
【図４】
2004105159.tif 000006
【図５】
2004105159.tif 000007
【図６】
2004105159.tif 000008
【図７】
2004105159.tif 000009
【図８】
2004105159.tif 000010
【手続補正書】
【提出日】平成14年12月27日(2002.12.27)
【手続補正１】
【補正対象書類名】明細書
【補正対象項目名】図面の簡単な説明
【補正方法】変更
【補正の内容】
【図面の簡単な説明】
【図１】１本採りの爪砥ぎ材を、受け皿に納めた斜視図である。
【図２】縦方向に集成した爪砥ぎ材の斜視図である。
【図３】雑多な部材を集成した爪砥ぎ材の斜視図である。
【図４】紡錘形の遊び道具の斜視図である。
【図５】円柱形の遊び道具の斜視図である。
【図６】球形の遊び道具の斜視図である。
【図７】方形（四角柱）の遊び道具の斜視図である。
【図８】三角柱の遊び道具の斜視図である。
【符号の説明】
１　受け皿
２　１本採りの爪砥ぎ材
３　ノコギリ傷
４　縦方向に集成した爪砥ぎ材
５　縦方向の柾目の部材
６、１４　接着面
７、１３　底板
８　雑多な部材を利用した爪砥ぎ材
９　四角形の部材
１０三角形の部材
１１三角形の部材を合わせた四角柱
１２長方形の部材
１５紡錘形の遊び道具
１６円柱形の遊び道具
１７球形の遊び道具
１８方形（四角）柱の遊び
１９三角柱の遊び道具


【手続補正２】
【補正対象書類名】図面
【補正対象項目名】全図
【補正方法】変更
【補正の内容】
【図１】
2004105159.tif 000011
【図２】
2004105159.tif 000012
【図３】
2004105159.tif 000013
【図４】
2004105159.tif 000014
【図５】
2004105159.tif 000015
【図６】
2004105159.tif 000016
【図７】
2004105159.tif 000017
【図８】
2004105159.tif 000018